(57)【要約】【課題】生産性が向上するとともに、形状や寸法安定性にも優れたダクトスリーブを提供する。【解決手段】複数のさや管ダクトスリーブ２１の一方端部を固定支持する固定板２２を取り付けることで、ロータス管２０が固定される本体管ダクトスリーブ１０において、受口部１１及び筒部１３が設けられたダクトスリーブ本体１０Ａと、開口部１２が設けられたフランジ部材１０Ｂとを、各々に設けられた嵌合端部１６、１９同士を組み合わせることで一体化されてなる。【選択図】図３
2018196326.tif 000002
【特許請求の範囲】
【請求項１】
地中埋設管を受け入れ可能な筒状の受口部と、
該受口部と一体に形成され、ハンドホール内に連通する開口部に接続される筒部と、を備え、
該筒部における前記開口部の周縁部に、前記受口部及び前記筒部に挿通される複数のさや管ダクトスリーブの一方端部を固定支持する固定板を取り付けるための取付部が形成されたダクトスリーブであって、
前記受口部及び前記筒部が設けられたダクトスリーブ本体と、前記開口部が設けられたフランジ部材とを、各々に設けられた嵌合端部同士を組み合わせることで一体化されてなることを特徴とするダクトスリーブ。
【請求項２】
前記フランジ部材に設けられた嵌合端部に、前記ダクトスリーブ本体に設けられた嵌合端部と当接する鍔体が形成されていることを特徴とする請求項１に記載のダクトスリーブ。
【請求項３】
前記フランジ部材に設けられた嵌合端部と、前記ダクトスリーブ本体に設けられた嵌合端部との間の少なくとも一部に隙間が設けられるとともに、該隙間に接着剤が充填されてなることを特徴とする請求項１又は請求項２に記載のダクトスリーブ。
【請求項４】
前記フランジ部材に設けられた嵌合端部の内面がテーパー状に形成されているとともに、前記内面の内径及びテーパー傾斜角が、前記ダクトスリーブ本体の嵌合端部の外径の変化量に応じて、該ダクトスリーブ本体の嵌合端部を圧入嵌合できる範囲とされていることを特徴とする請求項１又は請求項２に記載のダクトスリーブ。
【請求項５】
前記フランジ部材に設けられた嵌合端部と、前記ダクトスリーブ本体に設けられた嵌合端部とが、端面当接で接合されていることを特徴とする請求項１に記載のダクトスリーブ。
【請求項６】
前記フランジ部材に設けられた嵌合端部と、前記ダクトスリーブ本体に設けられた嵌合端部とが、バット融着によって接合されていることを特徴とする請求項５に記載のダクトスリーブ。
【請求項７】
前記フランジ部材に設けられた嵌合端部と、前記ダクトスリーブ本体に設けられた嵌合端部とが、スピンウェルドによって接合されていることを特徴とする請求項５に記載のダクトスリーブ。
【請求項８】
前記フランジ部材が、前記ダクトスリーブ本体との嵌合端部を含む環状板部材と、外周部を形成する外周部材とが組み合わせられてなることを特徴とする請求項１〜請求項７の何れか一項に記載のダクトスリーブ。
【請求項９】
前記フランジ部材が、少なくとも２以上に分割された同一形状の部材が組み合わせられてなることを特徴とする請求項１〜請求項８の何れか一項に記載のダクトスリーブ。
【請求項１０】
前記フランジ部材が、少なくとも２以上に分割された同一形状の部材が、各々に設けられた嵌合部によって嵌合されてなることと特徴とする請求項９に記載のダクトスリーブ。
【請求項１１】
前記取付部は、前記固定板をねじ留め固定するためのねじ用貫通孔を有し、該ねじ用貫通孔の内部に袋状ねじ部材が配置されていることを特徴とする請求項１〜請求項１０の何れか一項に記載のダクトスリーブ。
【請求項１２】
前記袋状ねじ部材が、インサート成形によって前記ねじ用貫通孔の内部に固定されていることを特徴とする請求項１１に記載のダクトスリーブ。
【発明の詳細な説明】
【技術分野】
【０００１】
本発明は、通信線を保護するダクトスリーブに関する。
【背景技術】
【０００２】
近年、情報通信を行うためのネットワーク網の構築にあたっては、通信線がそれぞれ挿通された小径で複数本の樹脂製のさや管を、大径の樹脂製本体管の内部に挿入して構成される通信用管路を地中に埋設することが主流となりつつある。
【０００３】
上述のような通信用管路を用いることで、小さな断面積中に多数の通信線を敷設することができることから、地中の配管量を少なくすることができる。これにより、通信用管路を埋設するための掘削工事等の手間が少なくて済み、工期を短縮することができるとともに、コストを抑えることができるといった利点があることから、上記構成の通信用管路が広く採用されるようになっている。
【０００４】
一般的に、上述のような通信用管路においては、敷設された通信線の点検や、別に敷設された通信線との接続や分岐、あるいは、敷設方向の変更などの作業を必要とする地点にハンドホールが設けられる。通信用管路とハンドホールとを接続する方法としては、例えば、ハンドホールの側壁に形成された貫通孔に本体管ダクトスリーブを固定し、複数本のさや管ダクトスリーブを本体管の内部に挿入して、その一端部を固定板で束ねたロータス管を本体管ダクトスリーブに挿入する方法が従来から行われている。
【０００５】
また、上記構成の接続構造に用いられるロータス管の通信用管路の寸法や材質等は、規格で規定されている。
【０００６】
このような接続構造を有するロータス管として、例えば、可撓性を有する複数のさや管ダクトスリーブと、このさや管ダクトスリーブの一方の端部を固定支持する固定板とを備えたロータス管が提案されている（例えば、特許文献１を参照）。特許文献１によれば、上記構成により、施工の際、ハンドホール内からロータス管を本体管ダクトスリーブに挿入し、ロータス管の固定板と本体管ダクトスリーブとをボルト等を用いて接続固定することができる。
【先行技術文献】
【特許文献】
【０００７】
【特許文献１】特開２０１０−２００４８９号公報
【発明の概要】
【発明が解決しようとする課題】
【０００８】
ここで、特許文献１に記載のようなロータス管が接続される本体管ダクトスリーブは、一般に、樹脂管や樹脂板を材料として切削や加熱加工等によって製造されている。しかしながら、このような加工方法では、製造に手間がかかり、生産性が低いという問題がある。さらに、本体管ダクトスリーブをなすダクトスリーブ本体は、短管を加熱加工して製造されていることから、加工の段階でダクトスリーブ本体に接合され、樹脂板の切削加工等によって得られるフランジ部材との接合部の外径が大きく変化することもあり、嵌合が困難になるおそれがある。
【０００９】
一方、本体管ダクトスリーブを、射出成形によって一体成形することも考えられ、この場合には、製造工程が大幅に削減されることから、生産性が向上するメリットが得られると考えられる。しかしながら、一般に、本体管ダクトスリーブは非常に大きなサイズを有していることから、射出成形によって一体成形して製造する場合には、非常に大きな成形機や、構造が複雑で大型の金型等が必要となる。このため、本体管ダクトスリーブを射出成形で一体的に製造した場合には、製造コストが上昇するおそれがあり、また、成形条件の調整も難しいという問題があった。
【００１０】
本発明は上記問題に鑑みてなされたものであり、生産性が向上するとともに、形状や寸法安定性にも優れたダクトスリーブを提供することを目的とする。
【課題を解決するための手段】
【００１１】
請求項１に記載の発明は、地中埋設管を受け入れ可能な筒状の受口部と、該受口部と一体に形成され、ハンドホール内に連通する開口部に接続される筒部と、を備え、該筒部における前記開口部の周縁部に、前記受口部及び前記筒部に挿通される複数のさや管ダクトスリーブの一方端部を固定支持する固定板を取り付けるための取付部が形成されたダクトスリーブであって、前記受口部及び前記筒部が設けられたダクトスリーブ本体と、前記開口部が設けられたフランジ部材とを、各々に設けられた嵌合端部同士を組み合わせることで一体化されてなることを特徴とする。
【００１２】
本発明によれば、ダクトスリーブ本体とフランジ部材とを、嵌合端部同士を組み付けることで一体化されてなる構成とすることで、各部材のサイズを小さく抑制することができ、フランジ部材の製造への射出成形の適用が容易になる。また、フランジ部材の加工に射出成形を適用した場合には、切削や加熱加工等の方法を用いることなく、高い寸法精度で所望の形状に形成することができることから、ダクトスリーブ本体とフランジ部材とを、確実且つ強固に接合することが可能となる。従って、生産性が向上するとともに、形状や寸法安定性にも優れたダクトスリーブを提供することが可能となる。
【００１３】
請求項２に記載の発明は、請求項１に記載のダクトスリーブであって、前記フランジ部材に設けられた嵌合端部に、前記ダクトスリーブ本体に設けられた嵌合端部と当接する鍔体が形成されていることを特徴とする。
【００１４】
本発明によれば、フランジ部材の嵌合端部に鍔体が形成されているので、フランジ部材とダクトスリーブ本体とを接合する際に、押し込み位置の位置決めを容易に行うことができる。また、フランジ部材とダクトスリーブ本体とを接着する場合には、接着剤のはみ出しなどを防止することが可能となる。
【００１５】
請求項３に記載の発明は、請求項１又は請求項２に記載のダクトスリーブであって、前記フランジ部材に設けられた嵌合端部と、前記ダクトスリーブ本体に設けられた嵌合端部との間の少なくとも一部に隙間が設けられるとともに、該隙間に接着剤が充填されてなることを特徴とする。
【００１６】
本発明によれば、フランジ部材とダクトスリーブ本体との間に隙間を設けて接着剤を充填することで、仮に、ダクトスリーブ本体の嵌合端部の外径が大きく変化している場合であっても、容易に嵌合することが可能となる。
【００１７】
請求項４に記載の発明は、請求項１又は請求項２に記載のダクトスリーブであって、前記フランジ部材に設けられた嵌合端部の内面がテーパー状に形成されているとともに、前記内面の内径及びテーパー傾斜角が、前記ダクトスリーブ本体の嵌合端部の外径の変化量に応じて、該ダクトスリーブ本体の嵌合端部を圧入嵌合できる範囲とされていることを特徴とする。
【００１８】
本発明によれば、仮に、ダクトスリーブ本体の嵌合端部の外径が大きく変化している場合であっても、フランジ部材の嵌合端部の内面と、ダクトスリーブ本体の嵌合端部とを当接させることができ、両者を圧入嵌合で接合することが可能となる。
【００１９】
請求項５に記載の発明は、請求項１に記載のダクトスリーブであって、前記フランジ部材に設けられた嵌合端部と、前記ダクトスリーブ本体に設けられた嵌合端部とが、端面当接で接合されていることを特徴とする。
本発明によれば、仮に、ダクトスリーブ本体の嵌合端部の外径が大きく変化している場合であっても、接合面は端面であり、ダクトスリーブ本体とフランジ部材との各嵌合端部の接合面は当接するので、確実に接合できる。
【００２０】
請求項６に記載の発明は、請求項５に記載のダクトスリーブであって、前記フランジ部材に設けられた嵌合端部と、前記ダクトスリーブ本体に設けられた嵌合端部とが、バット融着によって接合されていることを特徴とする。
本発明によれば、バット融着によってダクトスリーブ本体とフランジ部材との各嵌合端部間が接合されるものなので、高い接合強度が得られるとともに、接合が容易で生産性に優れたものとなる。
【００２１】
請求項７に記載の発明は、請求項５に記載のダクトスリーブであって、前記フランジ部材に設けられた嵌合端部と、前記ダクトスリーブ本体に設けられた嵌合端部とが、スピンウェルドによって接合されていることを特徴とする。
本発明によれば、スピンウェルドによってダクトスリーブ本体とフランジ部材との各嵌合端部間が接合されるものなので、高い接合強度が得られるとともに、接合が容易で生産性に優れたものとなる。
【００２２】
請求項８に記載の発明は、請求項１〜請求項８の何れか一項に記載のダクトスリーブであって、前記フランジ部材が、前記ダクトスリーブ本体との嵌合端部を含む環状板部材と、外周部を形成する外周部材とが組み合わせられてなることを特徴とする。
本発明によれば、フランジ部材が、嵌合端部を含む環状板部材と、外周部を形成する外周部材とに分割され、これらが組み合わせられた構成なので、各部材をさらに小型にでき、射出成形機や金型を小型化でき、射出成形による加工がさらに容易になる。
【００２３】
請求項９に記載の発明は、請求項１〜請求項８の何れか一項に記載のダクトスリーブであって、前記フランジ部材が、少なくとも２以上に分割された同一形状の部材が組み合わせられてなることを特徴とする。
本発明によれば、フランジ部材を、少なくとも２以上に分割された同一形状の部材が組み合わられた構成とすることで、射出成形による加工がさらに容易になるとともに、成形後の各部材の組み立て加工も容易になる。
【００２４】
請求項１０に記載の発明は、請求項９に記載のダクトスリーブであって、前記フランジ部材が、少なくとも２以上に分割された同一形状の部材が、各々に設けられた嵌合部によって嵌合されてなることと特徴とする。
【００２５】
本発明によれば、フランジ部材を、少なくとも２以上に分割された同一形状の部材が、各々に設けられた嵌合部によって嵌合されてなる構成とすることで、成形後の各部材の組み立て加工がさらに容易になる。また、各部材における嵌合部の形状を共通化することで、これら各部材を射出成形するための金型も共通化することができ、製造コストを抑制することが可能となる。
【００２６】
請求項１１に記載の発明は、請求項１〜請求項１０の何れか一項に記載のダクトスリーブであって、前記取付部が、前記固定板をねじ留め固定するためのねじ用貫通孔を有し、該ねじ用貫通孔の内部に袋状ねじ部材が配置されていることを特徴とする。
【００２７】
本発明によれば、ねじ用貫通孔の内部に袋状ねじ部材を配置した構成とすることで、ねじ留めによってロータス管を固定する機能と、ねじ用貫通孔に外部からコンクリート等が流入するのを防止する機能の両方が得られる。これにより、部品点数を削減することができ、従来に比べて製造工程を省略することができることから、生産性が向上するとともに、製造コストも削減できる。
【００２８】
請求項１２に記載の発明は、請求項９に記載のダクトスリーブであって、前記袋状ねじ部材が、インサート成形によって前記ねじ用貫通孔の内部に固定されていることを特徴とする。
本発明によれば、インサート成形により、袋状ねじ部材が前記ねじ用貫通孔の内部に固定された構成なので、従来に比べて製造工程を省略することができ、生産性が向上するとともに、製造コストも削減できる。
【発明の効果】
【００２９】
本発明に係るダクトスリーブによれば、上記した解決手段によって以下の効果を奏する。
即ち、本発明に係るダクトスリーブによれば、ダクトスリーブ本体とフランジ部材とを、嵌合端部同士を組み合わせることで一体化されてなる構成とすることで、各部材のサイズを小さく抑制することができることから、フランジ部材の製造への射出成形の適用が容易になる。また、フランジ部材の加工に射出成形を適用した場合には、切削や加熱加工等の方法を用いることなく、高い寸法精度で所望の形状に形成することができることから、ダクトスリーブ本体とフランジ部材とを、確実且つ強固に接合することが可能となる。
従って、生産性が向上するとともに、形状や寸法安定性にも優れたダクトスリーブを提供することが可能となる。
【図面の簡単な説明】
【００３０】
【図１】本発明の一実施形態であるダクトスリーブを説明する模式図であり、複数のさや管ダクトスリーブを支持する固定板を本体管ダクトスリーブに取り付けた状態を示す斜視図である。
【図２】本発明の一実施形態であるダクトスリーブを説明する模式図であり、本体管ダクトスリーブを構成するダクトスリーブ本体とフランジ部材とを組み合わせて一体化する際の手順、並びに、複数のさや管ダクトスリーブを支持する固定板を本体管ダクトスリーブに取り付ける際の手順を示す斜視図である。
【図３】本発明の一実施形態であるダクトスリーブを説明する模式図であり、複数のさや管ダクトスリーブを支持する固定板を本体管ダクトスリーブに取り付けた状態を示す断面図である。
【図４】本発明の一実施形態であるダクトスリーブを説明する模式図であり、図３中における要部を拡大して示す断面図である。
【図５】本発明の一実施形態であるダクトスリーブを説明する模式図であり、本体管ダクトスリーブを構成するダクトスリーブ本体とフランジ部材とを組み合わせて一体化した状態を示す斜視図である。
【図６】本発明の一実施形態であるダクトスリーブを説明する模式図であり、本体管ダクトスリーブを構成するダクトスリーブ本体とフランジ部材とを分離した状態を示す斜視図である。
【図７】本発明の一実施形態であるダクトスリーブを説明する模式図であり、本体管ダクトスリーブを構成するダクトスリーブ本体とフランジ部材とが各々の接合端部間で組み合わされた状態を示す断面図である。
【図８】本発明の他の実施形態であるダクトスリーブを説明する模式図であり、本体管ダクトスリーブを構成するダクトスリーブ本体とフランジ部材とを組み合わせて一体化した状態を示す側面図である。
【図９】本発明の他の実施形態であるダクトスリーブを説明する模式図であり、図８に示した本体管ダクトスリーブの斜視図である。
【図１０】本発明の他の実施形態であるダクトスリーブを説明する模式図であり、図８及び図９に示したフランジ部材をなす環状板部材及び外周部材、並びに、ダクトスリーブ本体を、それぞれ分離した状態で示す側面図である。
【図１１】本発明の他の実施形態であるダクトスリーブを説明する模式図であり、図８及び図９に示したフランジ部材をなす環状板部材及び外周部材、並びに、ダクトスリーブ本体を、それぞれ分離した状態の斜視図である。
【図１２】本発明の他の実施形態であるダクトスリーブを説明する模式図であり、本体管ダクトスリーブをなすフランジ部材を、同一形状で２つに分割された部材を組み合わせて構成した例を示す斜視図である。
【図１３】本発明の他の実施形態であるダクトスリーブを説明する模式図であり、本体管ダクトスリーブをなすフランジ部材を、同一形状で２つに分割された部材が、各々に設けられた嵌合部によって嵌合される構成とした場合の、各部材を分離した状態を示す斜視図である。
【図１４】本発明の他の実施形態であるダクトスリーブを説明する模式図であり、図１３に示したフランジ部材を、同一形状で２つに分割された部材にそれぞれ分割した状態を示す斜視図である。
【図１５】本発明の他の実施形態であるダクトスリーブを説明する模式図であり、図１３及び図１４に示したフランジ部材をなす各部材の断面図である。
【図１６】本発明の他の実施形態であるダクトスリーブを説明する模式図であり、図１６（ａ）〜図１６（ｄ）は、それぞれ、図１２に示したフランジ部材をなす各部材を射出成形で加工する場合の、金型のゲート位置、ウェルド位置、ナットインサート部の各々の位置関係について示す平面図である。
【図１７】本発明の他の実施形態であるダクトスリーブを説明する模式図であり、本体管ダクトスリーブを構成するフランジ部材に形成されたねじ用貫通孔の内部に、袋状ねじ部材を配置した状態を示す断面図である。
【図１８】本発明の他の実施形態であるダクトスリーブを説明する模式図であり、図１７中における要部を拡大して示す断面図である。
【図１９】本発明の他の実施形態であるダクトスリーブを説明する模式図であり、図１６及び図１７に示したフランジ部材とダクトスリーブ本体とを組み合わせた状態を示す断面図である。
【図２０】本発明の他の実施形態であるダクトスリーブを説明する模式図であり、図１９中における要部を拡大して示す断面図である。
【発明を実施するための形態】
【００３１】
以下、図面を参照して本発明に係るダクトスリーブの一実施形態について、図１〜図２０を適宜参照しながらその構成を説明する。なお、以下の説明で用いる図面は、その特徴をわかりやすくするために、便宜上、特徴となる部分を拡大して示している場合があり、各構成要素の寸法比率等は、実際とは異なる場合がある。また、以下の説明において例示される材料、寸法等は一例であって、本発明はそれらに限定されるものではなく、その要旨を変更しない範囲で適宜変更して実施することが可能である。
【００３２】
［本体管ダクトスリーブ（ダクトスリーブ）の構成］
図１は、本実施形態の本体管ダクトスリーブ（ダクトスリーブ）１０に、ロータス管２０を取り付けた状態を示す斜視図であり、図２は、本体管ダクトスリーブ１０を構成するダクトスリーブ本体１０Ａとフランジ部材１０Ｂとを組み合わせる際の手順、並びに、ロータス管２０を本体管ダクトスリーブ１０に取り付ける際の手順を示す斜視図である。このように、本体管ダクトスリーブ１０は、一般的に、ロータス管２０との接続に用いられる。
また、ロータス管２０は、複数のさや管ダクトスリーブ２１の一方端部が固定板２２に固定支持されたものであり、固定板２２には、本体管ダクトスリーブ１０にロータス管２０を取り付ける際にボルト（第１のねじ部材）３０が挿通される貫通孔２２ａが計４箇所に形成されている（図２及び図４等も参照）。
【００３３】
また、本実施形態の本体管ダクトスリーブ１０は、詳細な図示を省略するが、鉄筋コンクリート（ＲＣ）製のハンドホールに接続して設置される。ハンドホールは、地中に埋設されるものであり、側壁に形成された貫通孔に本体管ダクトスリーブ１０が固定される。また、本体管ダクトスリーブ１０と図示略の側壁との隙間は、例えば、硬化接合剤等で埋められることにより、ハンドホール内部への土砂・雨水等の浸入が防止される。
【００３４】
なお、図５及び図６においては、説明の都合上、ロータス管２０を取り付けていない状態の本体管ダクトスリーブ１０を示しており、図５はダクトスリーブ本体１０Ａとフランジ部材１０Ｂとを組み合わせた状態、図６は両者を離間させた状態を示している。一方、図３及び図４においては、実際に、本体管ダクトスリーブ１０にロータス管２０を取り付けた状態を示している。
【００３５】
本実施形態の本体管ダクトスリーブ１０は、図１、図３等に示すように（図５、６も参照）、ロータス管２０や地中埋設管を受け入れ可能な筒状の受口部１１と、この受口部１１と一体に形成され、地中埋設状態において非地中側、例えば、図示略のハンドホール内に連通する開口部１２に接続される筒部１３とを備える。また、開口部１２の周縁部に、受口部１１及び筒部１３に挿通されるロータス管２０の固定板２２が取り付けられる。ここで、受口部１１の内周面１４には環状溝部１５が形成されており、この環状溝部１５には、必要に応じて図示略のゴムパッキンが嵌装される。また、受口部１１の外周面の一部と筒部１３の外周面には砂付加工が必要に応じて施されている。さらに、開口部１２の周壁には、フランジ状に形成された周縁部１７が設けられ、この周縁部１７に複数のねじ用貫通孔１８が形成されている（本実施形態では、周方向に略等間隔に４箇所形成されている）。これらねじ用貫通孔１８は、一般的には、本体管ダクトスリーブ１０への被取付物、つまりロータス管２０の固定板２２をねじ留め固定して取り付けるために用いられる。つまり、周縁部１７及びねじ用貫通孔１８で、ロータス管２０の取付部を構成している。
【００３６】
本体管ダクトスリーブ１０は、例えば、硬質ポリ塩化ビニル樹脂の射出品あるいは加工品として形成されている。
【００３７】
そして、本実施形態の本体管ダクトスリーブ１０は、図２の組み付け図、及び、図３、図４の断面図に示すように、受口部１１及び筒部１３が設けられたダクトスリーブ本体１０Ａと、開口部１２が設けられたフランジ部材１０Ｂとを、各々に設けられた嵌合端部同士、即ち、ダクトスリーブ本体１０Ａの嵌合端部１６と、フランジ部材１０Ｂの嵌合端部１６とを組み合わせることで一体化されてなる構成とされている。
【００３８】
即ち、ダクトスリーブ本体１０Ａは、図２及び図３等に示すように、筒状部材として構成され、上述した筒状の受口部１１、筒部１３を有するとともに、受口部１１の内周面１４に、環状溝部１５が備えられている。
一方、フランジ部材１０Ｂは、図示例のように、開口部１２を有するフランジ状の部材として構成され、上述したように、開口部１２の周壁に周縁部１７を有し、この周縁部１７にねじ用貫通孔１８が設けられている。
【００３９】
ダクトスリーブ本体１０Ａとフランジ部材１０Ｂとは、詳細を後述するが、それぞれの嵌合端部１６、１９の間を、例えば、充填系接着剤によって接合するか、あるいは、各嵌合端部間をバット融着又はスピンウェルド加工によって接合する等の方法で一体化することにより、本体管ダクトスリーブ１０を構成することができる。
【００４０】
上述したように、ダクトスリーブ本体１０Ａは、一般に、短管（樹脂管）を材料として加熱加工等を施すことによって製造されることが多く、この場合、加工時に、フランジ部材１０Ｂと接合される嵌合端部１６の外径が大きく変化することがある。また、仮に、ダクトスリーブ本体１０Ａを射出成形で製造した場合であっても、サイズが大きいため、成形条件の調整等が難しく、嵌合端部１６の外径が安定しない場合も考えられる。本実施形態においては、詳細を後述するように、ダクトスリーブ本体１０Ａの嵌合端部１６、及び、フランジ部材１０Ｂの嵌合端部１９を、それぞれ適正形状とし、さらに、接合形態を適正化することにより、仮に、嵌合端部１６の外径が大きく変化した場合であっても、この変化量を十分に吸収でき、確実な接合が可能となる。
【００４１】
また、図示例の本体管ダクトスリーブ１０は、ねじ用貫通孔１８に挿通されるボルト３０が、ねじ用貫通孔１８の内部に配置されるナット４０と螺合されることで、周縁部１７にロータス管２０の固定板２２がねじ留め固定される。
ここで、図３及び図４に示すように、本実施形態の本体管ダクトスリーブ１０においては、ねじ用貫通孔１８は、ナット４０の形状に合わせて、例えば、断面略六角形状とされている。また、図示例においては、ナット４０が、ねじ用貫通孔１８の内壁１８ａとの間で若干の間隙を有しながら、緩めに保持された状態で設けられている。また、ナット４０は、ねじ切りがなされたねじ孔４１と、このねじ孔４１の周縁に形成される面取り部４１ａとを有している。
【００４２】
本実施形態の本体管ダクトスリーブ１０においては、上述のように、ダクトスリーブ本体１０Ａとフランジ部材１０Ｂとを、各々の嵌合端部１６、１９同士を組み付けて一体化されてなる構成とすることで、本体管ダクトスリーブ１０を構成する各部材のサイズを小さく抑制することができることから、本体管ダクトスリーブ１０を構成するフランジ部材１０Ｂの製造への射出成形の適用が容易になる。また、フランジ部材１０Ｂを、高い寸法精度で所望の形状に形成することができる。このように、射出成形品からなるフランジ部材１０Ｂで本体管ダクトスリーブ１０を構成することで、生産性が向上するとともに、形状や寸法安定性にも優れた本体管ダクトスリーブ１０が実現できるものである。
【００４３】
本実施形態においては、図３及び図４に示すように、フランジ部材１０Ｂに設けられた嵌合端部１９に、ダクトスリーブ本体１０Ａに設けられた嵌合端部１６と当接する鍔体１９ａが形成されていることが好ましい。
このように、フランジ部材１０Ｂの嵌合端部１９に鍔体１９ａを形成した場合には、フランジ部材１０Ｂの嵌合端部１９とダクトスリーブ本体１０Ａの嵌合端部１６とを接合する際に、端面１９ｃと端面１６ａとが当接することで、両部材の押し込み位置の位置決めを容易に行うことができる。また、フランジ部材１０Ｂとダクトスリーブ本体１０Ａとを接着して一体化する場合には、接着剤のはみ出し等が生じるのを鍔体１９ａによって防止する効果が得られる。
【００４４】
また、本実施形態の本体管ダクトスリーブ１０は、図７に示す例のように、フランジ部材１０Ｂに設けられた嵌合端部１９と、ダクトスリーブ本体１０Ａに設けられた嵌合端部１９との間の少なくとも一部に隙間が設けられるとともに、この隙間に接着剤、より具体的には充填系接着剤が充填されてなる構成とすることができる。図示例においては、ダクトスリーブ本体１０Ａの嵌合端部１６と、フランジ部材１０Ｂにおける嵌合端部１９の内面１９ｂとの間に、僅かな隙間を設けている。
【００４５】
このように、フランジ部材１０Ｂとダクトスリーブ本体１０Ａとの間に隙間を設けて充填系接着剤等を充填することで、仮に、ダクトスリーブ本体１０Ａの嵌合端部１６（筒部１３）の外径が、上述したような加熱加工等の影響で大きく変化している場合であっても、容易に接着・嵌合することが可能となる。
【００４６】
また、本実施形態の本体管ダクトスリーブ１０は、図７等においては詳細な図示を省略しているが、フランジ部材１０Ｂに設けられた嵌合端部１９の内面１９ｂがテーパー状に形成されているとともに、内面１９ｂの内径及びテーパー傾斜角が、ダクトスリーブ本体１０Ａの嵌合端部１６の外径の変化量に応じて、この嵌合端部１６を圧入嵌合できる範囲とされた構成とすることができる。
【００４７】
即ち、ダクトスリーブ本体１０Ａの製造時の加熱等の条件により、仮に、ダクトスリーブ本体１０Ａの嵌合端部１６の外径が大きく変化している場合であっても、例えば、フランジ部材１０Ｂの嵌合端部１９の内面１９ｂを大きなテーパー傾斜角で形成し、且つ、内径寸法を適正化することにより、ダクトスリーブ本体１０Ａの嵌合端部１６の外径の大小を問わず、フランジ部材１０Ｂの嵌合端部１９の内面１９ｂと、ダクトスリーブ本体１０Ａの嵌合端部１６とを当接させることができ、両者を嵌合接続することができる。この際、例えば、接着剤等を用いて、互いに当接する嵌合端部１６及び嵌合端部１９を溶融させながら、圧入嵌合する方法を採用できる。
【００４８】
また、本実施形態においては、図７等（図３及び図４も参照）に示すように、フランジ部材１０Ｂに設けられた嵌合端部１９と、ダクトスリーブ本体１０Ａに設けられた嵌合端部１６とが、端面当接で接合されている構成とすることができる。図７に示す例では、上述したように、ダクトスリーブ本体１０Ａにおける嵌合端部１６の端面１６ａと、フランジ部材１０Ｂにおける嵌合端部１９の端面１９ｃとが端面当接している。
【００４９】
このように、ダクトスリーブ本体１０Ａの嵌合端部１６とフランジ部材１０Ｂの嵌合端部１９とを端面当接で接合することにより、仮に、ダクトスリーブ本体１０Ａの嵌合端部１６（筒部１３）の外径が大きく変化している場合であっても、接合面は各々の端面１６ａ及び端面１９ｃであり、各々の嵌合端部１６、１９の接合面が当接する構成なので、確実な接合が可能となる。
【００５０】
また、本実施形態においては、図７等に示すような、各々の嵌合端部１６、１９間の端面当接による接合が、例えば、各々の端面１６ａ及び端面１９ｃを加熱溶融した後、これら端面１６ａと端面１９ｃとを圧着して融着する、バット接合によるものであってもよい。
あるいは、各々の嵌合端部１６、１９間の端面当接による接合が、端面１６ａと端面１９ｃとを向かい合わせて加圧し、この状態でダクトスリーブ本体１０Ａ又はフランジ部材１０Ｂの何れか一方を回転させ、摩擦熱による発熱で端面１６ａ及び端面１９ｃを溶融させた後に回転を停止し、冷却固化することで接合する、スピンウェルドによるものであっても良い。
【００５１】
本実施形態では、各々の嵌合端部１６、１９間の端面当接による接合に、上述したバット接合あるいはスピンウェルドを適用することで、高い接合強度が得られるとともに、接合が容易で生産性が向上する。
【００５２】
次に、本実施形態においては、図８〜図１１に示すように、フランジ部材を、ダクトスリーブ本体１０Ａと接続する嵌合端部１９を含む環状板部材１０１Ｃと、外周部を形成する外周部材１０２Ｃとが組み合わせられてなる構成のフランジ部材１０Ｃとすることができる。ここで、図８及び図９においては、環状板部材１０１Ｃと外周部材１０２Ｃとを組み合わせ、さらに、フランジ部材１０Ｂを組み合わせた状態を示している。また、図１０及び図１１においては、フランジ部材１０Ｃを構成する環状板部材１０１Ｃ及び外周部材１０２Ｃ、並びに、ダクトスリーブ本体１０Ａを、それぞれ組み合わせた状態を示している。
【００５３】
このように、フランジ部材１０Ｃを、嵌合端部１９を含む環状板部材１０１Ｃと、外周部を形成する外周部材１０２Ｃとに分割し、これらが組み合わせられた構成とすることで、各部材をさらに小型にでき、射出成形機や金型を小型化できることから、射出成形による加工がさらに容易になる。
【００５４】
また、本実施形態においては、図１２に示すように、フランジ部材として、少なくとも２以上に分割された同一形状の部材が組み合わせられてなる構成のフランジ部材１０Ｄを採用しても良い。図１２に示す例では、フランジ部材１０Ｄが、略同一形状であるＵ字状部材（同一形状の部材）１０１Ｄ及びＵ字状部材（同一形状の部材）１０２Ｄが、図示略の嵌合爪等によって組み合わせられることで、環状に構成されている。
【００５５】
このように、フランジ部材１０Ｄを、少なくとも２以上に分割された同一形状の部材が組み合わられた構成とすることで、部材がさらに小型になり、射出成形による加工がさらに容易になるとともに、成形後の各部材の組み立て加工も容易になる。
【００５６】
また、本実施形態においては、図１３〜図１５に示すように、フランジ部材として、少なくとも２以上に分割された同一形状の部材が、各々に設けられた嵌合部によって嵌合されてなるフランジ部材１０Ｅを採用しても良い。図１３に示す例においては、フランジ部材１０Ｅが、略同一形状であるＵ字状部材（同一形状の部材）１０１ＥとＵ字状部材（同一形状の部材）１０２Ｅとが組み合わせられる前の離間した状態を示しており、これら各部材を互いに組み合わせる。これにより、図１４及び図１５に示すような嵌合爪（嵌合部）１０１ａと嵌合係止部（嵌合部）１０２ｂとが係合するとともに、嵌合爪（嵌合部）１０２ａと嵌合係止部（嵌合部）１０１ｂとが係合し、環状のフランジ部材１０Ｅを構成することができる。
【００５７】
このように、フランジ部材１０Ｅを、少なくとも２以上に分割された同一形状の部材が、各々に設けられた嵌合部（嵌合爪１０１ａ、１０２ａ、及び、嵌合係止部１０１ｂ、１０２ｂ）によって嵌合されてなる構成とすることで、上述したフランジ部材１０Ｄの場合と同様、部材がさらに小型になり、成形後の各部材の組み立て加工がさらに容易になる。また、Ｕ字状部材１０１Ｅ及びＵ字状部材１０２Ｅにおいて、各嵌合爪１０１ａ、１０２ａ、並びに、各嵌合係止部１０１ｂ、１０２ｂの形状を共通化することで、これら各部材を射出成形するための金型も共通化することができるので、製造コストをさらに抑制することが可能となる。
【００５８】
次に、本実施形態では、図３及び図４に示す例のように、ねじ用貫通孔１８が、ナット４０から突出するボルト３０の先端部３１が収容可能な長さとされていることがより好ましい。
さらに、本実施形態では、図示例のように、ねじ用貫通孔１８に、ボルト３０が挿通される側の開口１８ｂとは反対側の開口１８ｃから、ねじ用貫通孔１８を塞ぐ蓋部５１と、ボルト３０の先端部３１を収容可能な収容部５２とを有した略筒状の押さえ部材５０が挿通された構成を採用することができる。
【００５９】
押さえ部材５０は、例えば、樹脂材料からなり、詳細な図示を省略するが、蓋部５１が、ボルト３０の頭部やナット４０と同様、平面視した時に略六角形となる形状を有している。また、図示例では、略筒状の収容部５２も略六角柱状に形成されており、収容部５２がねじ用貫通孔１８に挿通された際、収容部５２と内壁１８ａとの間が隙間を有するように構成されている。
【００６０】
押さえ部材５０は、例えば、ねじ用貫通孔１８の開口１８ｃに形成された段差部１８ｄに、蓋部５１の裏側を接着することで、ねじ用貫通孔１８を塞ぐように固定しても良い。この際、収容部５２と内壁１８ａとの間の隙間にも、例えば、上述したような充填系接着剤を充填しても良い。
また、押さえ部材５０に備えられる収容部５２の端部５２ａが、ナット４０と若干の隙間を有するように押さえ部材５０を配置することが、ナット４０と端部５２ａとの間の摺動性を確保できる点から好ましい。
【００６１】
本実施形態では、上述のように、ねじ用貫通孔１８の一方の開口１８ｃが押さえ部材５０によって塞がれている構成を採用することで、例えば、本体管ダクトスリーブ１０の設置環境に依るコンクリートや土石等がねじ用貫通孔１８の内部に流入することがなく、良好な取付状態を維持することが可能となる。また、図示例のように、押さえ部材５０の収容部５２に、ボルト３０の先端部３１が完全に収容される寸法関係とした場合には、ボルト３０のナット４０へのねじ込みが途中で終了することなく、最後まで確実にねじ込むことができるので、ロータス管２０を本体管ダクトスリーブ１０に確実に固定することが可能となる。
【００６２】
なお、図３及び図４に示す例においては、押さえ部材５０の収容部５２とねじ用貫通孔１８の内壁１８ａとの間に隙間が設けられているが、例えば、この隙間に充填系接着剤を封入することにより、押さえ部材５０をねじ用貫通孔１８内に接着固定してもよい。あるいは、例えば、押さえ部材５０の収容部５２の側面を雄ねじ状に形成するとともに、ねじ用貫通孔１８の内壁１８ａを雌ねじ状に形成することにより、押さえ部材５０をねじ用貫通孔１８内にねじ留め固定可能に構成してもよい。
【００６３】
上記構成により、ねじ用貫通孔１８内部においてボルト３０とナット４０とが螺合され、さらに、ナット４０から突出するボルト３０の先端部３１がねじ用貫通孔１８内に完全に収容された状態となるので、例えば、全長の長いボルト３０を用いた場合であっても、ナット４０へのねじ込みが途中で終了することなく、最後まで確実にねじ込むことができる。これにより、ロータス管２０を、本体管ダクトスリーブ１０に確実に固定することができる。
【００６４】
一方、本実施形態においては、図１７〜図２０に示す例のように、ねじ用貫通孔１８の内部に、上述したナット４０及び押さえ部材５０に代わり、袋状ナット（袋状ねじ部材）４５を配置した構成を採用することも可能である。ここで、図１７及び図１８においては、ねじ用貫通孔１８の内部に袋状ナット４５が配置されたフランジ部材１０Ｂを単体で示しており、図１９及び図２０においては、フランジ部材１０Ｂとダクトスリーブ本体１０Ａとを組み合わせた状態を示している。
【００６５】
図１８及び図２０に示すように、袋状ナット４５は、筒状のねじ部４６と、このねじ部４６の一方を塞ぐように配置される半球状の袋体４７とから構成され、ねじ開口４５ａ側からボルトを挿入して螺合可能とされている。このような、袋状ナット４５は、例えば、フランジ部材１０Ｂを射出成形で加工する際に、インサート成形を行うことで、ねじ用貫通孔１８の内部に配置することができる。
【００６６】
ねじ用貫通孔１８の内部に袋状ナット４５を配置した構成を採用することにより、本体管ダクトスリーブ１０にロータス管２０の固定板２２を取り付ける際、ボルト３０との螺合による固定機能と、ねじ用貫通孔１８に外部からコンクリート等が流入するのを防止する機能の両方が、袋状ナット４５のみで得られる。即ち、ナット４０及び押さえ部材５０の両方の機能を袋状ナット４５が併せ持つことにより、部品点数を削減することができ、また、インサート成形を採用することで、従来に比べて製造工程を一部省略することができることから、生産性が向上するとともに、製造コストも削減できる。
【００６７】
ここで、上述のように、ねじ用貫通孔１８の内部に袋状ナット４５を配置するインサート成形でフランジ部材１０Ｂを射出成形加工する場合には、金型のゲート位置、ウェルド位置、ナットインサート部の各々の位置を適正に配置することが好ましい。即ち、フランジ部材１０Ｂを射出成形加工する場合、インサート部材である袋状ナット４５の位置にウェルドが生じないようにするため、袋状ナット４５がインサート配置される各々のねじ用貫通孔１８が、金型のゲート間の略中央付近に配置されないように、それらの位置関係を適正化することが好ましい。
【００６８】
具体的には、図１６（ａ）、（ｂ）に示すように、フランジ部材１０Ｂを一体で成形するか、あるいは、図１６（ｃ）、（ｄ）に示すように、フランジ部材１０Ｄを２分割として、Ｕ字状部材１０１Ｄを成形する場合に、各図中に示すような、ゲート位置、ウェルド位置及びナットインサート部の位置関係を採用できる。
【００６９】
図１６（ａ）に示すように、金型のゲートを２箇所としてフランジ部材１０Ｂを一体で射出成形する場合には、各ゲートＧ１、Ｇ２間の中央付近にウェルドＷ１、Ｗ２が形成されるので、袋状ナット４５がインサートされる４箇所のねじ用貫通孔１８を、ウェルドＷ１、Ｗ２とは離れた位置に配置する。
また、図１６（ｂ）に示すように、金型のゲートを４箇所としてフランジ部材１０Ｂを一体で射出成形する場合には、各ゲートＧ１、Ｇ２、Ｇ３、Ｇ４間のそれぞれ中央付近にウェルドＷ１、Ｗ２、Ｗ３、Ｗ４が形成されるので、袋状ナット４５がインサートされる４箇所のねじ用貫通孔１８を、ウェルドＷ１〜Ｗ４とは離れた位置に配置する。
【００７０】
また、図１６（ｃ）に示すように、金型のゲートを１箇所としてＵ字状部材１０１Ｄを射出成形する場合には、ウェルドが形成されないことから、袋状ナット４５がインサートされる２箇所のねじ用貫通孔１８は、それぞれゲートＧ１から同間隔で配置することができる。
一方、図１６（ｄ）に示すように、金型のゲートを２箇所としてＵ字状部材１０１Ｄを射出成形する場合には、各ゲートＧ１、Ｇ２間の中央付近にウェルドＷ１が形成されるので、袋状ナット４５がインサートされる２箇所のねじ用貫通孔１８を、ウェルドＷ１とは離れた位置に配置する。
【００７１】
本実施形態では、ねじ用貫通孔１８の内部に袋状ナット４５を配置するインサート成形でフランジ部材１０Ｂ（あるいはＵ字状部材１０１Ｄ）を射出成形加工するにあたり、ゲート位置、ウェルド位置、ナットインサート部の各々の位置を、上記のような適正配置とすることにより、袋状ナット４５のインサート位置にウェルドが形成されるのを回避できる。これにより、インサート部分においてウェルド形成による強度低下等が生じることなく、フランジ部材１０Ｂ（あるいはＵ字状部材１０１Ｄ）を、良好なインサート成形条件で射出成形加工することが可能となる。
【００７２】
［本体管ダクトスリーブ（ダクトスリーブ）とロータス管との接続］
次に、主に図１〜図４を参照しながら、本体管ダクトスリーブ１０とロータス管２０との接続構造及び接続方法を説明する。
上述したように、図示略のハンドホールは地中に埋設されており、ハンドホールの側壁には貫通孔が形成されている。ハンドホールの貫通孔には、本体管ダクトスリーブ１０が固定される。本体管ダクトスリーブ１０は、その開口部１２がハンドホール内部に臨むように、ハンドホールの側壁に取り付けられる。
【００７３】
続いて、ロータス管２０を、本体管ダクトスリーブ１０の開口部１２側から本体管ダクトスリーブ１０の内部へと挿入する。この際、図２に示すように、複数のさや管ダクトスリーブ２１側を開口部１２に挿入してゆくと、図３及び図４に示すように、固定板２２が、本体管ダクトスリーブ１０の取付部である、フランジ状に形成された周縁部１７に当接する。
【００７４】
そして、図３及び図４に示すように、ロータス管２０の固定板２２に形成された貫通孔２２ａ、及び、本体管ダクトスリーブ１０のねじ用貫通孔１８にボルト３０を挿入し、ねじ用貫通孔１８の内部に配置されたナット４０に螺合する。これにより、図１等に示すように、本体管ダクトスリーブ１０にロータス管２０が確実に支持固定される。
【００７５】
この後、詳細な図示を省略するが、地中埋設管となるロータス管２０同士を嵌合することを繰り返し、次に接続される図示略のハンドホールに向けて延設する。そして、隣り合うハンドホール間の配管工事が完了した後に、さや管ダクトスリーブ２１内に図示略の通信線を通線する。
【００７６】
なお、本発明に係るダクトスリーブを適用したロータス管の接続構造は、上記の一実施形態に限定されるものではなく、施工現場の状況等に応じて、適宜、その接続形態を変形させて実施することも可能である。
【００７７】
［作用効果］
以上説明したように、本発明に係る本体管ダクトスリーブ（ダクトスリーブ）１０によれば、上記した構成によって以下の効果を奏する。
即ち、本発明に係る本体管ダクトスリーブ１０によれば、ダクトスリーブ本体１０Ａとフランジ部材１０Ｂとを、嵌合端部１６、１９同士を組み合わせることで一体化されてなる構成とすることで、各部材のサイズを小さく抑制することができることから、フランジ部材１０Ｂの製造への射出成形の適用が容易になる。また、フランジ部材１０Ｂの加工に射出成形を適用した場合には、切削や加熱加工等の方法を用いることなく、高い寸法精度で所望の形状に形成することができることから、ダクトスリーブ本体１０Ａとフランジ部材１０Ｂとを、確実且つ強固に接合することが可能となる。
従って、生産性が向上するとともに、形状や寸法安定性にも優れた本体管ダクトスリーブ（ダクトスリーブ）１０を提供することが可能になるという優れた効果を奏する。
【００７８】
なお、以上説明した各実施形態における各構成及びそれらの組み合わせ等は一例であり、本発明の趣旨を逸脱しない範囲で、構成の付加、省略、置換、及びその他の変更が可能である。また、本発明は各実施形態によって限定されることはなく、特許請求の範囲によってのみ限定される。
【産業上の利用可能性】
【００７９】
本発明に係るダクトスリーブは、例えば、通信線を内部に挿通して地中に埋設される通信用管路の分野において、幅広く適用可能である。
【符号の説明】
【００８０】
１０…本体管ダクトスリーブ（ダクトスリーブ）、１０Ａ…ダクトスリーブ本体、１０Ｂ，１０Ｃ，１０Ｄ，１０Ｅ…フランジ部材、１０１Ｃ…環状板部材、１０２Ｃ…外周部材、１０１Ｄ，１０１Ｅ…Ｕ字状部材（同一形状の部材）、１０２Ｄ，１０２Ｅ…Ｕ字状部材（同一形状の部材）、１０１ａ，１０２ａ…嵌合爪（嵌合部）、１０１ｂ，１０２ｂ…嵌合係止部（嵌合部）、１１…受口部、１２…開口部、１３…筒部、１４…内周面、１５…管状溝部、１７…周縁部（取付部）、１８…ねじ用貫通孔（取付部）、１８ａ…内壁、１８ｂ、１８ｃ…開口、１８ｄ…段差部、１６，１９…嵌合端部、１６ａ…端面（ダクトスリーブ本体の嵌合端部）、１９ａ…鍔体（フランジ部材の嵌合端部）、１９ｂ…内面（フランジ部材の嵌合端部）、１９ｃ…端面（フランジ部材の嵌合端部）、２０…ロータス管、２１…複数のさや管ダクトスリーブ（ロータス管）、２２…固定板（ロータス管）、２２ａ…貫通孔（ロータス管）、３０…ボルト、３１…先端部、４０…ナット、４１…ねじ孔、４１ａ…面取り部、４５…袋状ナット（袋状ねじ部材）、４５…ねじ開口、４６…ねじ部、４７…袋体、５０…押さえ部材、５１…蓋部、５２…収容部、５２ａ…端部、Ｇ１，Ｇ２，Ｇ３，Ｇ４…ゲート、Ｗ１，Ｗ２，Ｗ３，Ｗ４…ウェルド。
【図１】
2018196326.tif 000003
【図２】
2018196326.tif 000004
【図３】
2018196326.tif 000005
【図４】
2018196326.tif 000006
【図５】
2018196326.tif 000007
【図６】
2018196326.tif 000008
【図７】
2018196326.tif 000009
【図８】
2018196326.tif 000010
【図９】
2018196326.tif 000011
【図１０】
2018196326.tif 000012
【図１１】
2018196326.tif 000013
【図１２】
2018196326.tif 000014
【図１３】
2018196326.tif 000015
【図１４】
2018196326.tif 000016
【図１５】
2018196326.tif 000017
【図１６】
2018196326.tif 000018
【図１７】
2018196326.tif 000019
【図１８】
2018196326.tif 000020
【図１９】
2018196326.tif 000021
【図２０】
2018196326.tif 000022